(57)【要約】      （修正有）【課題】外縁部に隙間が無い状態でサッシ枠に取り付けることができ、また、その取り付け方法が屋外側から視認されてしまうことを防止することのできる防犯スクリーン装置を提供する。【解決手段】この防犯スクリーン装置１は、サッシ枠５００に対して固定される枠体（左側枠体２４０等）と、サッシ枠の開口を覆った状態で保持される防犯パネル１００と、を備えている。左側枠体は、防犯パネルから屋外側に離間した位置において、防犯パネルの周縁部分を覆う被覆部２４２と、防犯パネルの周縁部分と被覆部との間に形成された空間８０２を遮蔽するように、被覆部から防犯パネルに向かって突出する突出部２４３と、を有している。防犯スクリーン装置は更に、防犯パネルを突出部に対して密着させた状態で、防犯パネルを左側枠体に対して押しつけながら保持する左側固定部材３１０を備えている。【選択図】図１
2014066032.tif 000002
【特許請求の範囲】
【請求項１】
サッシ枠及び障子を備えた窓に対して取り付けられる防犯スクリーン装置において、
前記サッシ枠に対して固定される枠体と、
複数の孔が形成された平板部を有し、当該平板部が前記サッシ枠の開口を覆った状態で保持される防犯パネルと、を備え、
前記枠体は、
前記防犯パネルから屋外側に離間した位置において、前記防犯パネルの周縁部分を覆う被覆部と、
前記防犯パネルの周縁部分と前記被覆部との間に形成された空間を遮蔽するように、前記被覆部から前記防犯パネルに向かって突出する突出部と、を有するものであり、
前記防犯パネルを前記突出部に対して密着させた状態で、前記防犯パネルを前記枠体に対して押しつけながら保持する固定部材を更に備えたことを特徴とする防犯スクリーン装置。
【請求項２】
前記防犯パネルの屋内側の面には、前記防犯パネルの周縁部分に沿って補強フレームが固定されていることを特徴とする、請求項１に記載の防犯スクリーン装置。
【請求項３】
前記枠体は、前記防犯パネルの左右両辺及び下辺に沿う位置にのみ配置されており、
前記補強フレームには、
前記防犯パネルの上辺近傍における前記補強フレームと前記サッシ枠との隙間を覆うように、上方に向けて突出したリブが形成されていることを特徴とする、請求項２に記載の防犯スクリーン装置。
【請求項４】
前記補強フレームと前記防犯パネルとは、屋外側から挿入されるビスによって締結固定されており、
前記ビスの頭部は、前記被覆部と前記防犯パネルとの間に形成された空間内に収容されていることを特徴とする、請求項２又は請求項３に記載の防犯スクリーン装置。
【発明の詳細な説明】
【技術分野】
【０００１】
本発明は、サッシ枠及び障子を備えた窓に対して取り付けられる防犯スクリーン装置に関する。
【背景技術】
【０００２】
障子を開放した状態の窓から人（泥棒など）に浸入されてしまうこと等を防止するために、窓に対して防犯スクリーン装置を取り付けることが行われている。このような防犯スクリーン装置は、サッシ枠の開口を例えば面格子で覆ったり、パンチングメタルで覆ったりすることにより、窓の通気性や透光性等を確保しつつ防犯性を高めるものである。すなわち、このような防犯スクリーン装置を窓に取り付けると、障子を開放して屋外からの通風を十分に確保した状態であっても、防犯性が損なわれることがない。
【０００３】
特にパンチングメタルで開口を覆う構成の防犯スクリーン装置は、人の侵入のみならず危険物や破壊工具等の侵入をも防止することができるため、より防犯性が高い。下記特許文献１には、建物の開口の内側にパンチングメタルを嵌め込み、ビスで固定した構成の防犯スクリーン装置が記載されている。
【先行技術文献】
【特許文献】
【０００４】
【特許文献１】特開２００３−１４８０６０号公報
【発明の概要】
【発明が解決しようとする課題】
【０００５】
防犯性の観点から当然に、防犯スクリーン装置には、屋外から容易に取り外されたり破壊されたりしないことが求められる。しかしながら、上記特許文献１に記載された防犯スクリーン装置においては、パンチングメタルの外周部と建物の開口（縁部）との間に隙間が生じやすいため、当該隙間にドライバーなどの工具が挿入されてこじ開けられたり、パンチングメタルが破壊されたりする恐れがあった。
【０００６】
更に、上記特許文献１に記載された防犯スクリーン装置では、パンチングメタルの外周部を締結固定するビスの頭部が屋外側に露出している。このため、当該ビスが屋外側から容易に外され、パンチングメタルが取り外されてしまう可能性があった。尚、屋外側からビスが外されてしまうのを防止するために、ビスの頭部をパンチングメタルの屋内側に配置することも考えられる。しかしながら、この場合でもパンチングメタルの取り付け方法（ビスの締結個所等）は屋外側から容易に視認されてしまうため、例えば締結個所を集中的に攻撃して破壊する等により、パンチングメタルが比較的容易に取り外されてしまう可能性がある。
【０００７】
本発明はこのような課題に鑑みてなされたものであり、その目的は、外縁部に隙間が無い状態でサッシ枠に取り付けることができ、また、その取り付け方法が屋外側から視認されてしまうことを防止することのできる防犯スクリーン装置を提供することにある。
【課題を解決するための手段】
【０００８】
上記課題を解決するために本発明に係る防犯スクリーン装置は、サッシ枠及び障子を備えた窓に対して取り付けられる防犯スクリーン装置において、前記サッシ枠に対して固定される枠体と、複数の孔が形成された平板部を有し、当該平板部が前記サッシ枠の開口を覆った状態で保持される防犯パネルと、を備え、前記枠体は、前記防犯パネルから屋外側に離間した位置において、前記防犯パネルの周縁部分を覆う被覆部と、前記防犯パネルの周縁部分と前記被覆部との間に形成された空間を遮蔽するように、前記被覆部から前記防犯パネルに向かって突出する突出部と、を有するものであり、前記防犯パネルを前記突出部に対して密着させた状態で、前記防犯パネルを前記枠体に対して押しつけながら保持する固定部材を更に備えたことを特徴としている。
【０００９】
本発明に係る防犯スクリーン装置は、サッシ枠に対して固定される枠体と、サッシ枠の開口を覆った状態で保持される防犯パネルと、防犯パネルを枠体に対して押しつけながら保持する固定部材とを備えている。防犯パネルは、例えばパンチングメタルのように、複数の孔が形成された平板部を有するものである。当該平板部がサッシ枠の開口を覆った状態となる。
【００１０】
枠体は、防犯パネルから屋外側に離間した位置において防犯パネルの周縁部分を覆う被覆部と、前記被覆部から前記防犯パネルに向かって突出する突出部と、を有している。防犯パネルの周縁部分と枠体の被覆部との間に形成された空間は、突出部によって遮蔽される。換言すれば、突出部は、被覆部のうちサッシ枠側とは反対側（防犯パネルの中央側）の端部近傍に形成される。
【００１１】
固定部材は、防犯パネルを枠体の突出部に対して密着させた状態で、防犯パネルを枠体に対して押しつけながら保持するものである。これにより、防犯パネルは突出部に対し隙間なく密着した状態となる。
【００１２】
以上のような構成の防犯スクリーン装置では、防犯パネルの周縁部分全体が被覆部によって屋外側から覆われている。このため、防犯パネルの固定方法が屋外側からは視認されず、防犯パネルを取り外すために必要な破壊箇所や破壊方法等が特定されてしまうことがない。
【００１３】
また、防犯パネルは枠体の突出部に密着した状態となり、当該部分において隙間は形成されない。工具等を挿入するような隙間が形成されないため、防犯パネルを屋外側からこじ開けたり破壊したりすることが防止される。また、隙間から屋内に虫等が侵入することも防止される。
【００１４】
また本発明に係る防犯スクリーン装置では、前記防犯パネルの屋内側の面には、前記防犯パネルの周縁部分に沿って補強フレームが固定されていることも好ましい。
【００１５】
この好ましい態様では、防犯パネルの屋内側の面に、防犯パネルの周縁部分に沿って補強フレームが固定されている。補強フレームにより防犯パネルの変形が抑制され、防犯パネルの平板部は平坦な状態に保たれる。その結果、防犯パネルが枠体の突出部に密着した状態が維持されるため、防犯パネルと枠体との間に隙間が形成されることが抑制される。更に、防犯パネルを破壊しようとする際の起点となりやすい周縁部分が補強フレームにより補強されるため、防犯パネルを破壊するためには長時間を要することとなり、防犯性が更に向上する。
【００１６】
また本発明に係る防犯スクリーン装置では、前記枠体は、前記防犯パネルの左右両辺及び下辺に沿う位置にのみ配置されており、前記補強フレームには、前記防犯パネルの上辺近傍における前記補強フレームと前記サッシ枠との隙間を覆うように、上方に向けて突出したリブが形成されていることも好ましい。
【００１７】
この好ましい態様では、枠体は、防犯パネルの左右両辺及び下辺に沿う位置にのみ配置されている。すなわち、防犯パネルの上辺に沿う位置には配置されていない。このため、防犯パネルの上辺近傍においては、その固定方法が屋外側から視認されてしまう可能性があり、防犯性が低いようにも思われる。
【００１８】
しかしながら、当該部分は地上からの高さがあるため、上辺部分において防犯パネルがこじ開けられたり、破壊されたりする可能性は小さい。すなわち、屋内に侵入しようとする者（泥棒など）にとっては、じっくりと時間と手間をかけて防犯パネルを破壊等するような余裕はないため、例えば踏み台を利用して防犯パネルの上辺部分が破壊等されてしまう可能性は極めて低い。従って、この好ましい態様では、防犯パネルの上辺に沿う位置に枠体を配置しないことにより、防犯性を犠牲にすることなくコストダウンを図ることができる。
【００１９】
一方、防犯パネルの上辺部分を覆う枠体が存在しないため、防犯パネルとサッシ枠との間に生じた隙間から虫等が屋内に侵入してしまうことが考えられる。しかし、この好ましい態様では、補強フレームには上方に向けて突出したリブが形成されており、当該リブによって、防犯パネルの上辺近傍における補強フレームとサッシ枠との隙間が覆われている。その結果、当該リブによって虫等の侵入経路が遮断されるため、虫等が屋内に侵入することが防止される。
【００２０】
また本発明に係る防犯スクリーン装置では、前記補強フレームと前記防犯パネルとは、屋外側から挿入されるビスによって締結固定されており、前記ビスの頭部は、前記被覆部と前記防犯パネルとの間に形成された空間内に収容されていることも好ましい。
【００２１】
この好ましい態様では、補強フレームと防犯パネルとが、屋外側から挿入されるビスによって締結固定されている。これにより、防犯パネルに対する補強フレームの固定が確実に行われる。
【００２２】
ビスが屋外側から挿入される結果、ビスの頭部は防犯パネルから屋外側に向けて突出した状態となっている。しかし、この好ましい態様では、ビスの頭部は、枠体の被覆部と防犯パネルとの間に形成された空間内に収容される。このため、屋外側からビスの頭部が視認されることはなく、屋外側からビスの締結個所を特定されることがない。
【発明の効果】
【００２３】
本発明によれば、外縁部に隙間が無い状態でサッシ枠に取り付けることができ、また、その取り付け方法が屋外側から視認されてしまうことを防止することのできる防犯スクリーン装置を提供することができる。
【図面の簡単な説明】
【００２４】
【図１】本発明の一実施形態に係る防犯スクリーン装置を、すべり出し窓に取り付けた状態を示す断面図である。
【図２】本発明の一実施形態に係る防犯スクリーン装置を、すべり出し窓に取り付けた状態を示す断面図である。
【図３】図１のＡ部を拡大して示した図である。
【図４】図１に示した防犯スクリーン装置における、枠体の配置を説明するための図である。
【発明を実施するための形態】
【００２５】
以下、添付図面を参照しながら本発明の実施の形態について説明する。説明の理解を容易にするため、各図面において同一の構成要素に対しては可能な限り同一の符号を付して、重複する説明は省略する。
【００２６】
図１及び図２は、いずれも、本発明の一実施形態に係る防犯スクリーン装置１を、すべり出し窓ＷＤに取り付けた状態を示す断面図である。このうち、図１は水平面で切断した場合の断面を上面視で示している。図２は建物外壁ＷＬに対して垂直且つ鉛直方向に沿った面で切断した場合の断面を示している。また、図３には、図１におけるＡ部を拡大して示している。
【００２７】
尚、図１においてはすべり出し窓ＷＤの下側（ハンドル１５が配置されている側）が屋内側であり、上側が屋外側である。図２においてはすべり出し窓ＷＤの左側が屋外側であり、右側が屋内側である。
【００２８】
以下の説明においては、特に断らない限り「上」とは鉛直上方のことを示し、「下」とは鉛直下方のことを示す。また、「右」とは屋内側から屋外側を向いた状態における右側のことを示し、「左」とは屋内側から屋外側を向いた状態における左側のことを示す。
【００２９】
図１及び図２に示したように、防犯スクリーン装置１が取り付けられているすべり出し窓ＷＤは、建物外壁ＷＬに形成された開口の縁に対して取り付けられたサッシ枠５００と、サッシ枠５００に対して開閉自在に取り付けられた障子６００とを備えている。障子６００は鉛直方向に沿った回転軸を有しており、当該回転軸を中心に回転しながら屋外側に向けて突出するように開くものである。このような障子６００を有するすべり出し窓ＷＤは、所謂「縦すべり出し窓」と称されるものである。障子６００の開閉は、屋内側からハンドル１５を回転させることにより行われる。
【００３０】
防犯スクリーン装置１は、サッシ枠５００のうち障子６００よりも屋内側の部分に取り付けられており、障子６００が開放された状態の引き違い窓ＷＤから人が屋内に侵入すること等を防いでいる。障子６００は、防犯スクリーン装置１と干渉することなく開閉動作することが可能となっている。防犯スクリーン装置１は、防犯パネル１００と、枠体２００と、固定部材３００とを備えている。
【００３１】
防犯パネル１００は、複数の孔が形成された平板部１１０がその大部分を占める矩形のパネルであって、当該平板部１１０がサッシ枠５００の開口を覆っている。平板部１１０は所謂パンチングメタルであって、平坦な金属板（本実施形態ではステンレス板を用いた）に多数の貫通孔が形成された構成となっている。このため、障子６００が開放された状態においてもサッシ枠５００の開口は防犯パネル１００で覆われているが、平板部１１０に形成された貫通孔を通じて外気や日光を屋内に取り込むことが可能となっている。
【００３２】
一方、障子６００が開放された状態の窓から人が侵入することは、防犯パネル１００によって確実に防止される。また、平板部１１０に形成された貫通孔の直径は１．５ｍｍ以下となっており、これにより、人の侵入のみならず虫等の侵入も防止される。また、危険物や破壊工具等の侵入も防止される。
【００３３】
図１及び図３に示したように、防犯パネル１００は左右両端が屋内側に向かって垂直に折り曲げられており、平板部１１０の左側端部から屋内側に向けて延びる左側リブ１２０と、平板部１１０の右側端部から屋内側に向けて延びる右側リブ１３０とを有している。左側リブ１２０及び右側リブ１３０を有することにより、平板部１１０の変形が抑制されている。
【００３４】
平板部１１０のうち屋内側の面には、その周縁部分（当該面のうち外縁近傍の部分）に沿って４本の補強フレーム（上側補強フレーム４１０、下側補強フレーム４３０、左側補強フレーム４５０、右側補強フレーム４７０が固定されている。これらは、いずれも断面が矩形の金属からなる筒状体であって、平板部１１０の周縁部分に沿って全体で矩形の枠を構成するように並べられており、平板部１１０に対して複数のビス７００により締結固定されている。ビス７００は、平板部１１０の屋外側から屋内側に向けて挿入されている。その結果、ビス７００の頭部７０１は平板部１１０から屋外側に突出した状態となっており、ビス７００の螺子部７０２は、その先端が補強フレーム（左側補強フレーム４５０等）の内部空間に位置した状態となっている。
【００３５】
このように、平板部１１０はその周縁部分に沿って（４辺それぞれの近傍に沿って）４本の補強フレームが固定されているため、防犯パネル１００の変形が抑制され、防犯パネル１００の平板部１１０は平坦な状態に保たれている。
【００３６】
枠体２００は防犯パネル１００の周縁部分に配置される部材であって、サッシ枠５００と防犯パネル１００との間に介在している。すなわち、枠体２００はその一部がサッシ枠５００に固定されており、防犯パネル１００は枠体２００に対して屋内側から当接している。
【００３７】
枠体２００は、下側枠体２１０、左側枠体２４０、及び右側枠体２７０という３つの部品により構成されており、これらが平板部１１０の周縁部分に沿って（下辺、左辺、右辺の３辺に沿って）全体でコの字型の枠を構成するように並べられている。
【００３８】
図２を参照しながら説明する。下側枠体２１０は平板部１１０の下辺に沿って配置されている。下側枠体２１０は、サッシ枠５００の内面に当接した状態でサッシ枠５００に固定される板状の固定部２１１と、平板部１１０から屋外側に離間した位置において平板部１１０と平行に配置され、平板部１１０の周縁部分を覆う板状の被覆部２１２とを有している。更に、下側枠体２１０は、被覆部２１２から平板部１１０に向かって（屋内側に向かって）突出する板状の突出部２１３を有している。
【００３９】
固定部２１１は、ビス７２０によってサッシ枠５００の内面に対して締結固定されている。ビス７２０の頭部７２１は固定部２１１から上側に向けて突出している。一方、ビス７２０の螺子部７２２は、その先端がサッシ枠５００の内部空間に位置した状態となっている。
【００４０】
被覆部２１２は固定部２１１の屋外側端部から上方に向かって伸びており、突出部２１３は被覆部２１２の上端から屋内側に向かって伸びている。このような形状の下側枠体２１０は、金属の押し出し成形により形成されている。一枚の金属板を曲げ加工することにより下側枠体２１０を形成してもよい。
【００４１】
被覆部２１２は平板部１１０から屋外側に離間した位置に配置されているため、被覆部２１２と平板部１１０との間には空間８０１が形成されている。突出部２１３の先端（屋内側の先端）は平板部１１０に当接しているため、空間８０１は突出部２１３によって遮蔽された状態となっている。
【００４２】
下側補強フレーム４３０を平板部１１０に締結固定するビス７００の頭部７０１は、空間８０１の内部に収容されている。このため、当該ビス７００を屋外側から視認することはできなくなっており、防犯パネル１００の固定方法は屋外側から覗いただけでは認識することができない。
【００４３】
突出部２１３の先端は、平板部１１０の屋外側表面に対して押しつけられた状態となっている。すなわち、下側枠体２１０の被覆部２１２は、その上側端部（突出部２１３が形成されている部分）が僅かに屋外側に向かうように弾性変形しており、当該弾性変形の復元力によって、突出部２１３の先端が平板部１１０に対して押しつけられている。換言すれば、ビス７２０により締結固定された際において被覆部２１２が上記の如く弾性変形するように、下側枠体２１０等に形成されたビス孔の位置等が調整されている。その結果、突出部２１３の先端と平板部１１０との間には隙間が形成されず、両者は全体に渡って密着した状態となっている。
【００４４】
図１及び図３を参照しながら説明する。左側枠体２４０は平板部１１０の左辺に沿って配置されている。左側枠体２４０は、サッシ枠５００の内面に当接した状態でサッシ枠５００に固定される板状の固定部２４１と、平板部１１０から屋外側に離間した位置において平板部１１０と平行に配置され、平板部１１０の周縁部分を覆う板状の被覆部２４２とを有している。更に、左側枠体２４０は、被覆部２４２から平板部１１０に向かって（屋内側に向かって）突出する板状の突出部２４３を有している。
【００４５】
固定部２４１は、皿ビス７３０によってサッシ枠５００に固定されている。皿ビス７３０は、固定部２４１及びサッシ枠５００に対して右側から挿入され締結されている。締結後の状態においては、皿ビス７３０の頭部は固定部２４１の表面から右側に向かって突出していない。
【００４６】
被覆部２４２は固定部２４１の屋外側端部から右方（平板部１１０の中央側）に向かって伸びており、突出部２４３は被覆部２４２の右端から屋内側に向かって伸びている。このような形状の左側枠体２４０は、下側枠体２１０と同様に、金属の押し出し成形により形成されている。一枚の金属板を曲げ加工することにより左側枠体２４０を形成してもよい。
【００４７】
被覆部２４２は平板部１１０から屋外側に離間した位置に配置されているため、被覆部２４２と平板部１１０との間には空間８０２が形成されている。突出部２４３の先端（屋内側の先端）は平板部１１０に当接しているため、空間８０２は突出部２４３によって遮蔽された状態となっている。
【００４８】
左側補強フレーム４５０を平板部１１０に締結固定するビス７００の頭部７０１は、空間８０２の内部に収容されている。このため、当該ビス７００を屋外側から視認することはできなくなっており、防犯パネル１００の固定方法は屋外側から覗いただけでは認識することができない。
【００４９】
図１を参照しながら説明する。右側枠体２７０は平板部１１０の右辺に沿って配置されている。右側枠体２７０は、サッシ枠５００の内面に当接した状態でサッシ枠５００に固定される板状の固定部２７１と、平板部１１０から屋外側に離間した位置において平板部１１０と平行に配置され、平板部１１０の周縁部分を覆う板状の被覆部２７２とを有している。更に、右側枠体２７０は、被覆部２７２から平板部１１０に向かって（屋内側に向かって）突出する板状の突出部２７３を有している。
【００５０】
固定部２７１は、皿ビス７３０によってサッシ枠５００に固定されている。皿ビス７３０は、固定部２７１及びサッシ枠５００に対して左側から挿入され締結されている。締結後の状態においては、皿ビス７３０の頭部は固定部２７１の表面から左側に向かって突出していない。
【００５１】
被覆部２７２は固定部２７１の屋外側端部から左方（平板部１１０の中央側）に向かって伸びており、突出部２７３は被覆部２７２の左端から屋内側に向かって伸びている。このような形状の右側枠体２７０は、下側枠体２１０及び左側枠体２４０と同様に、金属の押し出し成形により形成されている。一枚の金属板を曲げ加工することにより右側枠体２７０を形成してもよい。
【００５２】
被覆部２７２は平板部１１０から屋外側に離間した位置に配置されているため、被覆部２７２と平板部１１０との間には空間８０３が形成されている。突出部２７３の先端（屋内側の先端）は平板部１１０に当接しているため、空間８０３は突出部２７３によって遮蔽された状態となっている。
【００５３】
右側補強フレーム４７０を平板部１１０に締結固定するビス７００の頭部７０１は、空間８０３の内部に収容されている。このため、当該ビス７００を屋外側から視認することはできなくなっており、防犯パネル１００の固定方法は屋外側から覗いただけでは認識することができない。
【００５４】
下側枠体２１０、左側枠体２４０、及び右側枠体２７０の配置について、図４を参照しながら説明する。図４は、防犯スクリーン装置１のうち防犯パネル１００、枠体２００、及び上側補強フレーム４１０を抜粋し、これらを屋外側から見た様子を示す図である。図４に示したように、左側枠体２４０の下端は斜めにカットされており、傾斜辺２４４が形成されている。同様に、右側枠体２７０の下端も斜めにカットされており、傾斜辺２７４が形成されている。下側枠体２１０の左右両端も斜めにカットされており、左側端部に傾斜辺２１４が、右側端部に傾斜辺２１５がそれぞれ形成されている。
【００５５】
左側枠体２４０の傾斜辺２４４と下側枠体２１０の傾斜辺２１４とは当接しており、左側枠体２４０の下端と下側枠体２１０の左端とが隙間なく密着した状態となっている。同様に、右側枠体２７０の傾斜辺２７４と下側枠体２１０の傾斜辺２１５とは当接しており、右側枠体２７０の下端と下側枠体２１０の右端とが隙間なく密着した状態となっている。その結果、図４のように、下側枠体２１０、左側枠体２４０、及び右側枠体２７０は全体でコの字型の枠を構成しており、平板部１１０の屋外側表面のうち下辺、左辺、右辺に沿った（コの字型の）周縁部分を隙間なく覆った状態となっている。
【００５６】
本実施形態においては、平板部１１０の周縁部分（ビス７００により締結固定されている部分）が上記のように覆われて隠蔽されている。このため、防犯パネル１００を屋外側から取り外そうと試みる者（例えば泥棒）にとっては、防犯パネル１００がどのように固定されているのか（溶接固定なのか、ビスによる固定なのか等）を認識することができず、その固定個所も認識することができない。すなわち、防犯スクリーン装置１のどの部分をどのように破壊等すれば防犯パネル１００を取り外すことができるのかが直ちには判らないため、防犯パネル１００が取り外されてしまうまでには長時間を要することとなる。その結果、犯罪を未遂に終わらせる可能性が高くなる。
【００５７】
本実施形態においては、平板部１１０の上辺に沿って配置される上側枠体を有さない構成となっているため、平板部１１０の屋外側表面のうち上辺に沿った周縁部分は屋外側に露出しており、上側補強フレーム４１０を平板部１１０に締結固定するビス７００の頭部７０１や上側補強フレーム４１０の一部が屋外側から視認することができる状態となっている。
【００５８】
このため、当該部分においては平板部１１０の固定方法や締結位置等が屋外側から視認することができ、防犯性が低いようにも思われる。しかしながら、平板部１１０の上辺は地上からの高さがあるため、上辺部分を締結するビス７００が外されたり、破壊されたりする可能性は小さい。すなわち、屋内に侵入しようとする者（泥棒など）にとっては、じっくりと時間と手間をかけて防犯パネル１００を破壊等するような余裕はないため、例えば踏み台を利用してビス７００を外す等の作業が行われる可能性は極めて低い。従って、本実施形態では、平板部１１０の上辺に沿う位置には枠体（上側枠体）を配置しないことにより、防犯性を犠牲にすることなくコストダウンを図っている。
【００５９】
尚、本発明の実施形態としてはこのようなものに限られず、更に上側枠体を備えることによって平板部１１０の上辺に沿った周縁部分をも覆い、当該部分に配置されたビス７００を隠蔽してもよい。すなわち、平板部１１０の屋外側表面のうち下辺、左辺、右辺、及び上辺に沿った周縁部分の全体を隙間なく覆った状態としてもよい。特に、平板部１１０の上辺の高さが低い場合、例えば地上から２ｍ以下の場合には、上記のような上側枠体を備えた方が望ましい。
【００６０】
図１乃至図３を参照しながら説明する。固定部材３００は、防犯パネル１００を枠体２００に対して押しつけながら保持するための部材であって、防犯パネル１００の左側を固定する左側固定部材３１０と、防犯パネル１００の右側を固定する右側固定部材３４０とを有している。
【００６１】
図１及び図３に示したように、左側固定部材３１０は、左側補強フレーム４５０に対して屋内側から当接するパネル支持部３１１を有している。パネル支持部３１１は板状に形成されており、平板部１１０と平行に配置されている。
【００６２】
左側固定部材３１０は更に、パネル支持部３１１の左端から屋内側に向かって延びる板状の部分であって、左側枠体２４０の固定部２４１に対して当接する枠体支持部３１２を有している。左側枠体２４０の固定部２４１は、サッシ枠５００の内面（左側の内面）と枠体支持部３１２とによって挟まれた状態となっている。
【００６３】
パネル支持部３１１と左側補強フレーム４５０とは、ビス７１０によって締結固定されている。ビス７１０は屋内側から屋外側に向けて挿入され締結されており、その頭部７１１はパネル支持部３１１から屋内側に向けて突出している。一方、ビス７１０の螺子部７１２は、その先端が左側補強フレーム４５０の内部空間に位置した状態となっている。
【００６４】
枠体支持部３１２は、ビス７２０によって固定部２４１及びサッシ枠５００の内面に対して締結固定されている。すなわち、ビス７２０は枠体支持部３１２、固定部２４１、サッシ枠５００の内面を貫くように挿入され締結されている。ビス７２０の頭部７２１は枠体支持部３１２から右側に向けて突出している。一方、ビス７２０の螺子部７２２は、その先端がサッシ枠５００の内部空間に位置した状態となっている。
【００６５】
以上のように、防犯パネル１００は、左側固定部材３１０を介して枠体２００（左側枠体２４０）及びサッシ枠５００に対し固定されている。このとき、左側枠体２４０の突出部２４３の先端は、平板部１１０の屋外側表面に対して押しつけられた状態となっている。
【００６６】
すなわち、左側枠体２４０の被覆部２４２は、その右側端部（突出部２４３が形成されている部分）が僅かに屋外側に向かうように弾性変形しており、当該弾性変形の復元力によって、突出部２４３の先端が平板部１１０に対して押しつけられている。換言すれば、ビス７２０により締結固定された際において被覆部２４２が上記の如く弾性変形するように、左側枠体２４０に形成されたビス孔の位置や、左側固定部材３１０に形成されたビス孔の位置等が調整されている。その結果、突出部２４３の先端と平板部１１０との間には隙間が形成されず、両者は全体に渡って密着した状態となっている。
【００６７】
防犯パネル１００の右側を固定する右側固定部材３４０については、その形状及び固定方法が左側固定部材３１０と同一（左右対称）であるため、その詳細な説明は省略する。防犯パネル１００は、右側固定部材３４０を介して枠体２００（右側枠体２７０）及びサッシ枠５００に対し固定されている。このとき、右側枠体２７０の突出部２７３の先端は、平板部１１０の屋外側表面に対して押しつけられた状態となっている。
【００６８】
左側枠体２４０の場合と同様に、右側枠体２７０の被覆部２７２は、その左側端部（突出部２７３が形成されている部分）が僅かに屋外側に向かうように弾性変形しており、当該弾性変形の復元力によって、突出部２７３の先端が平板部１１０に対して押しつけられている。換言すれば、ビス７２０により締結固定された際において被覆部２７２が上記の如く弾性変形するように、右側枠体２７０に形成されたビス孔の位置や、右側固定部材３４０に形成されたビス孔の位置等が調整されている。その結果、突出部２７３の先端と平板部１１０との間には隙間が形成されず、両者は全体に渡って密着した状態となっている。
【００６９】
本実施形態においては、防犯パネル１００の下側を固定するような固定部材は備えておらず、防犯パネル１００は左側及び右側においてのみ枠体２００に対して固定されている。しかしながら、本発明の実施態様としてはこのようなものに限られず、防犯パネル１００の下側を固定するような固定部材を更に備えてもよい。また、本実施形態においては、左側固定部材３１０及び右側固定部材３４０はそれぞれが一つの部材として構成されているが、複数の部材が上下方向に並ぶように配置されていてもよい。
【００７０】
以上のように、下側枠体２１０の突出部２１３、左側枠体２４０の突出部２４３、及び右側枠体２７０の突出部２７３は、いずれもその先端が防犯パネル１００の平板部１１０に押しつけられ、全体に渡って密着した状態となっている。その結果、枠体２００と防犯パネル１００との間には隙間が形成されていない。工具等を挿入するような隙間が形成されないため、防犯パネル１００をこじ開けたり破壊したりすることが防止されている。また、隙間から屋内に虫等が侵入することも防止されている。
【００７１】
既に述べたように、本実施形態に係る防犯スクリーン装置１は、平板部１１０の上辺に沿って配置される上側枠体を有さない構成となっている。しかしながら、本実施形態においては上側補強フレーム４１０に形成された被覆リブ４１１によって、平板部１１０の上辺近傍から屋内に虫等が浸入することを防止している。
【００７２】
図２及び図４を参照しながら詳しく説明する。上側補強フレーム４１０は、その上面であって且つ屋内側の端部から、上方に向かって伸びるように板状の被覆リブ４１１が形成されている。被覆リブ４１１の上端は、サッシ枠５００の内面（上側の内面）から僅かに離間しており、その隙間は１ｍｍ以下となっている。このため、当該隙間から虫が浸入することはできなくなっている。
【００７３】
尚、被覆リブ４１１の上端をサッシ枠５００の内面に対して当接させてもよい。この場合、防犯パネル１００をサッシ枠５００に取り付ける作業を容易なものとするために、下側補強フレーム４３０の下端と下側枠体２１０の固定部２１１とが離間した状態となるように設計することが望ましい。このような寸法とすることにより、防犯パネル１００をサッシ枠の開口部に対し容易に嵌め込むことができる。この場合、下側補強フレーム４３０の下方には隙間（下側補強フレーム４３０とサッシ枠５００との間の隙間）が形成されることとなるが、当該隙間は下側枠体２１０により屋外側から覆われるため、虫等が侵入してしまうことはない。
【００７４】
換言すれば、下側枠体２１０と防犯パネル１００との鉛直方向に沿った相対位置が可変となっているために、防犯パネル１００の上部及び下部の両方における隙間が無い状態で、防犯パネル１００を固定することが可能となっている。尚、図１等に示したように、左側補強フレーム４５０の左端は左側枠体２４０から離間しており、右側補強フレーム４７０の右端は右側枠体２７０から離間している。このため、防犯パネル１００は、左右方向に沿ってもその位置を調整しながら固定することが可能となっている。
【００７５】
防犯スクリーン装置１をすべり出し窓ＷＤに取り付ける際における手順について、図１、図３を参照しながら簡単に説明する。まず、ビス７２０によって下側枠体２１０をサッシ枠５００に固定し、皿ビス７３０によって左側枠体２４０（固定部２４１）及び右側枠体２７０（固定部２７１）をサッシ枠５００に固定する。
【００７６】
続いて、上側補強フレーム４１０、左側補強フレーム４５０、下側補強フレーム４３０、右側補強フレーム４７０を取り付けた状態の防犯パネル１００を、屋内側から突出部２１３、２４３、２７３に対して押しつけた状態とする。このとき、防犯パネル１００が屋外側に落下してしまうことは、左側枠体２４０等によって防止される。
【００７７】
その後、左側固定部材３１０及び右側固定部材３４０を室内側から取り付ける。防犯パネル１００を下側枠体２１０等（突出部２１３等）に対して押しつけて保持した状態としながら、左側固定部材３１０及び右側固定部材３４０をビス７２０によりサッシ枠５００に対して締結固定する。以上の手順により、防犯スクリーン装置１をすべり出し窓ＷＤに取り付けることができる。
【００７８】
防犯スクリーン装置１のその他の構成について説明する。図１及び図２に示したように、防犯パネル１００の屋内側には複数の防犯バー９００が固定されている。防犯バー９００は、水平方向に沿って互いに平行に配置された細長い金属板であり、平板部１１０の屋内側の面に当接している。それぞれの防犯バー９００は、その左右両端が屋内側に向けて垂直に折り曲げられており、当該部分が左側補強フレーム４５０の右側側面、及び、右側補強フレーム４７０の左側側面に対してそれぞれ当接している。防犯バー９００は、図示しないビスによって左側補強フレーム４５０及び右側補強フレーム４７０に締結固定されている。
【００７９】
このような防犯バー９００が固定されているため、防犯パネル１００を（取り外すのではなく）直接破壊することが更に困難なものとなっている。尚、図２に示したように、防犯バー９００は平板部１１０の上部側には配置されていない。これは、当該部分に対して破壊活動が行われる可能性が低いことを考慮したものである。平板部１１０の上辺の高さが低い場合には、平板部１１０の上部側にも防犯バー９００を配置することが望ましい。
【００８０】
図３に示したように、左側補強フレーム４５０の屋内側端部には、左側に向けて突出する第一隠蔽リブ４５１が形成されている。第一隠蔽リブ４５１は、防犯パネル１００のうち左側リブ１２０の端部（屋内側端部）を、屋内側から視認されないように隠蔽するためのものである。
【００８１】
また、左側補強フレーム４５０の屋内側端部には、右側に向けて突出する第二隠蔽リブ４５２が形成されている。第二隠蔽リブ４５２は、防犯バー９００の端部（左側補強フレーム４５０の右側側面に当接している部分の屋内側端部）を、屋内側から視認されないように隠蔽するためのものである。
【００８２】
以上のように、左側補強フレーム４５０に第一隠蔽リブ４５１及び第一隠蔽リブ４５１を形成することで、屋内側から防犯スクリーン装置１を見た場合における意匠性を向上させている。図１に示したように、右側補強フレーム４７０についても同様の構成となっている。尚、防犯パネル１００のうち左側リブ１２０の端部等には、金属加工時において形成されたバリが残っている場合があり、取り付け作業時には当該バリによって作業者が怪我をしてしまう可能性がある。しかしながら、本実施形態においては、当該バリが第一隠蔽リブ４５１等によって覆われるため、作業者が怪我をしてしまうことが防止される。
【００８３】
左側固定部材３１０の枠体支持部３１２には、その屋内側端部から左側に向けて突出する第三隠蔽リブ３１５が形成されている。第三隠蔽リブ３１５は、左側枠体２４０の固定部２４１の端部（屋内側端部）を、屋内側から視認されないように隠蔽するためのものである。
【００８４】
このように、左側固定部材３１０に第三隠蔽リブ３１５を形成することで、屋内側から防犯スクリーン装置１を見た場合における意匠性を向上させている。図１に示したように、右側固定部材３４０についても同様の構成となっている。尚、固定部２４１の端部等には、金属加工時において形成されたバリが残っている場合があり、取り付け作業時には当該バリによって作業者が怪我をしてしまう可能性がある。しかしながら、本実施形態においては、当該バリが第三隠蔽リブ３１５等によって覆われるため、作業者が怪我をしてしまうことが防止される。
【００８５】
障子６００を屋内側から掃除する場合等においては、左側固定部材３１０を締結するビス７２０、及び、右側固定部材３４０を締結するビス７２０を外すことで、防犯スクリーン装置１をすべり出し窓ＷＤから容易に取り外すことができる。ビス７２０を全て蝶ボルトとすれば、防犯スクリーン装置１を外す作業は更に容易なものとなる。
【００８６】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、固定部材は、防犯パネルの裏面を単に当接して支持する構成を採用することもできる。当該固定部材のみならず、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００８７】
１：防犯スクリーン装置
１５：ハンドル
１００：防犯パネル
１１０：平板部
１２０：左側リブ
１３０：右側リブ
２００：枠体
２１０：下側枠体
２１１：固定部
２１２：被覆部
２１３：突出部
２１４，２１５：傾斜辺
２４０：左側枠体
２４１：固定部
２４２：被覆部
２４３：突出部
２４４：傾斜辺
２７０：右側枠体
２７１：固定部
２７２：被覆部
２７３：突出部
２７４：傾斜辺
３００：固定部材
３１０：左側固定部材
３１１：パネル支持部
３１２：枠体支持部
３４０：右側固定部材
４１０：上側補強フレーム
４１１：被覆リブ
４３０：下側補強フレーム
４５０：左側補強フレーム
４５１：第一隠蔽リブ
４５２：第二隠蔽リブ
４７０：右側補強フレーム
５００：サッシ枠
６００：障子
７００，７１０，７２０：ビス
７０１，７１１，７２１：頭部
７０２，７１２，７２２：螺子部
７３０：皿ビス
８０１，８０２，８０３：空間
９００：防犯バー
ＷＤ：すべり出し窓
ＷＬ：建物外壁
【図１】
2014066032.tif 000003
【図２】
2014066032.tif 000004
【図３】
2014066032.tif 000005
【図４】
2014066032.tif 000006